(57)【要約】      （修正有）【課題】多様な寸法および形状の椅子に対して着脱自在に装着可能であり、所望の位置から逸脱しない着座補助器具を提供する。【解決手段】略円筒状または略円柱状の形状をしているローラ部１２と、その少なくとも一部分がローラ部１２の両端面から外側に延びていて、椅子の背もたれに装着可能に構成されている可撓性を有する長尺体１４とを有し、ローラ部１２は、その両端面の中心部間を結ぶ軸に相当する部分を中心に自在に回動可能である。【選択図】図１
0003223462.tif 000002
【実用新案登録請求の範囲】
【請求項１】
略円筒状または略円柱状の形状をしているローラ部と、
その少なくとも一部分が該ローラ部の両端面から外側に延びていて、他の物体に装着可能に構成されている可撓性を有する長尺体とを有し、
前記ローラ部は、前記両端面の中心部間を結ぶ軸に相当する部分を中心に自在に回動可能であることを特徴とする人の着座時の姿勢を矯正する着座補助器具。
【請求項２】
請求項１に記載の着座補助器具であって、該着座補助器具はさらに、
前記ローラ部の前記軸に相当する部分を貫通するように配設されている筒状体を有し、
前記長尺体の少なくとも一部分は、前記筒状体の内部を貫通して延びていることを特徴とする着座補助器具。
【請求項３】
請求項１または２に記載の着座補助器具であって、
前記長尺体は、前記ローラ部の各端面からそれぞれ外側に延びている第１の端部および第２の端部を含み、
第１の端部および第２の端部の少なくとも一方には、該少なくとも一方の端部を他方の端部に結合し、該着座補助器具と前記他の物体との装着をより強固にする結合器を有することを特徴とする着座補助器具。
【請求項４】
請求項１ないし３のいずれかに記載の着座補助器具であって、前記長尺体には、該着座補助器具を前記他の物体に装着するときに該他の物体と接触する前記長尺体の部分の長さを調節可能な調節器が設けられることを特徴とする着座補助器具。
【考案の詳細な説明】
【技術分野】
【０００１】
本考案は、着座補助器具に関する。より具体的には、本考案は特に椅子の背もたれに装着可能で人の着座姿勢を矯正し、人の腰部に適度の刺激を与えることが可能な着座補助器具に関する。
【背景技術】
【０００２】
現代社会では、腰痛に苦しむ者が非常に多い。このような者にとっては、椅子に座るなどといった日常生活で頻繁に行う所作も苦痛になり得る。
腰痛に苦しむ者（腰痛患者）によってその着座体勢は異なるが、特定の体勢を採ることによって、また、圧迫力など所定の刺激を腰部に与えることによって、着座時の苦痛が軽減する場合がある。そのため、着座姿勢を工夫したり、何らかの道具またはその他の物体を使用して着座姿勢の矯正を図ったりすることが腰痛患者によって広く行われている。
【考案の概要】
【考案が解決しようとする課題】
【０００３】
しかしながら、椅子は一般的には携行困難なものであるがゆえに、腰痛患者は常に特定の椅子に座れるわけではない。そのため、腰痛患者は別の椅子に座ろうとする度に、その椅子に応じた着座姿勢を求めて試行錯誤したり、着座姿勢の矯正を図るために使用する物体の形状やその配置を工夫し直したりしなければならなかった。また、着座姿勢の矯正を図る用に供する従来の道具その他の物体は、椅子に堅固に取り付ける器具がついていないか、たとえあっても極めて簡易な構造であり、腰痛患者が背中を動かしたときに物体も最適な配置位置から一緒に動いてしまい、その度に物体の配置をし直さなければならなかった。
【０００４】
このため、多様な寸法および形状の椅子に対して着脱自在に装着可能であり、なおかつ着座時に背中を動かしても所望の位置から逸脱しないような着座補助器具が求められていた。
【課題を解決するための手段】
【０００５】
かかる課題を解決するために、本考案に係る着座補助器具は、略円筒状または略円柱状の形状をしているローラ部と、その少なくとも一部分がローラ部の両端面から外側に延びていて、他の物体に装着可能に構成されている可撓性を有する長尺体とを有し、ローラ部は、その両端面の中心部間を結ぶ軸に相当する部分を中心に自在に回動可能である。
【考案の効果】
【０００６】
本考案に係る着座補助器具によれば、例えば、多様な寸法および形状の椅子に対して着脱自在に装着可能であり、なおかつ装着位置を維持することができるという特有の効果を奏する。
【図面の簡単な説明】
【０００７】
【図１】本考案の実施例に係る着座補助器具を示す斜視図である。
【図２】図１に示す実施例を切断線II−IIで切断したときの断面図である。
【図３】本考案に用いられる結合器の一例を示す図である。
【図４】本考案に用いられる結合器の別の一例を示す図である。
【図５】本考案に用いられる結合器のまた別の一例を示す図である。
【図６】本考案に用いられる調節器の一例を示す図である。
【図７】本考案の実施例に係る着座補助器具を椅子に装着した状態を示す側面図である。
【図８】本考案の実施例に係る着座補助器具を椅子に装着した状態を示す背面図である。
【考案を実施するための形態】
【０００８】
次に、添付図面を参照して本考案による着座補助器具10の実施例を詳細に説明する。着座補助器具10は、椅子、特に椅子の背もたれ部に装着させて、利用者が椅子に着座する際の姿勢を矯正し、さらに好ましくは、利用者の腰部を適度に加圧して刺激を腰部に与えるものである。着座補助器具10を椅子に装着することによって、椅子に着座する者の特に腰部、例えば腰椎部位に掛かる負担を軽減することができる。
【０００９】
図１に示されているように、本考案による着座補助器具10の実施例は、実質的に円柱状または円筒状、すなわち略円柱状または円筒状の形状をしたローラ部12と、ローラ部12の両端部から外部に露出して延びている長尺体14、例えばベルト14とを有する。
【００１０】
長尺体14は、着座補助器具10を他の物体、より具体的には椅子の背もたれ部分などに装着する用に供する。長尺体14を用いて着座補助器具10を椅子の背もたれ部分に装着する際に、ローラ部12が背もたれの前面に位置するように装着することによって、ローラ部12の周面部は着座者が着座姿勢にあるときに着座者の腰部に所定の圧迫、すなわち加圧による適度な刺激を与えることができる。
【００１１】
長尺体14は、ローラ部12の全長よりも長い１本の長尺体で構成されていてもよい。長尺体14の本体部分はローラ部12の中空部分16に配置され、長尺体14の第１の端部14aおよび第２の端部14bはローラ部12の各端部から出て外側に延びていてもよい。あるいは、長尺体14は２本の長尺体14a、14bで構成され、略円柱状のローラ部12の各端部またはその付近で、２本の長尺体14a、14bのそれぞれの一端と接続するようにしてもよい。すなわち、長尺体14は、少なくとも一部分がローラ部12の両端面から外側に延びていることとなる。このように、長尺体14を用いれば、着座補助器具10を椅子の背もたれに装着できることができる。
【００１２】
長尺体14は、着座補助器具10を椅子の背もたれの形状に適合させて装着できる程度の可撓性を備えていれば、その材質の如何を問わない。また、長尺体14の形状は、図面に示す実施例では平型ベルト状を採っているが、この形状に限らず、例えば円形断面紐状またはその他の任意な形状を採ってもよい。
【００１３】
ローラ部12を形成する材料は、例えばいわゆる低反発素材として、弾性を抑え粘性を上げることによって、圧力により変形し、ゆっくりと復元することが可能な材質、例えば任意の合成樹脂、または任意の合成樹脂を用いた複合材料であると好ましい。その他、ローラ部12を形成する材料は、保温性にも優れているとより好ましい。利用者の背中にローラ部12が接触したときの感覚は、ローラ部12の材料が保温性に優れていた方が心地よいものとなるからである。
【００１４】
ローラ部12の形状は、前述の通り、好ましくは円柱両端面の中心部間を結ぶ軸を含む部分が中空部分16となっている円筒形である。すなわち、ローラ部12をローラ端部面と平行に切断した断面は、図２で示すように円環状となることが好ましい。ローラ部12の中空部分16に長尺体14を配置させ、ローラ部12の環形表面の中心部のそれぞれから長尺体14の各端部14a、14bが延びているように構成することによって、着座補助器具10を椅子に装着している際に着座者が背中を動かしたとしてもその動きに合わせて、ローラ部12は円柱軸に相当する部分を中心として自在に回動可能となる。そのため、着座者が多少着座姿勢を変えたとしても、姿勢の矯正効果が継続し、さらには背中部分の血行促進にもつながり得る。
【００１５】
着座補助器具10は、ローラ部12の軸に相当する部分、すなわち中空部分16を貫通するように配設されている筒状体18を有していることが好ましい。筒状体18がローラ部12内に配されている場合、長尺体14の少なくとも一部分は筒状体18内を貫通するように配置される。すなわち、この場合において長尺体14の各端部14a、14bは、筒状体18のそれぞれの端部孔18a、18bから出て外部に延びていることになる。
【００１６】
筒状体18を形成する材料は、ローラ部12よりも硬度が高いものであることが好ましい。しかしながら、筒状体18はローラ部12とともに着座者の腰部に刺激を与えるものであることに鑑みて、やはり適度な弾性および粘性を有する材質であることが好ましい。例えば、筒状体18の材料は、ローラ部12よりも硬度が高い任意の合成樹脂、または任意の合成樹脂を用いた複合材料であると好ましい。
【００１７】
着座補助器具10に筒状体18を設けることによって、着座補助器具10を椅子に装着する際に長尺体14に生じる張力によって、ローラ部12が備える中空部16の内側面が損傷しないように保護することができる。また、ローラ部12とは異なる適度な硬度の筒状体18が着座者の腰部に適度な負荷を与えることとなる。
【００１８】
長尺体14の各端部14a、14bの少なくとも一方には、他方の端部と結合可能な任意の結合器20を設けることが好ましい。より好適には、長尺体14の端部14a、14bの両方に、他方の端部と相互に結合可能な任意の結合器20を設ける。例えば、図３に示すように結合器としての一対の面ファスナ202a、202bを長尺体14の各端部14a、14bに設けてもよい。あるいは、図４に示すように、一方の端部14bにクリップ状の結合器204を設け、この結合器204を長尺体の他端14aに挟着できるように構成してもよい。このように、長尺体14に結合器204を取り付けることにより、着座補助器具10と椅子の背もたれとの装着をより強固にすることができる。
【００１９】
また、図５に示すように、長尺体の一方の端部14bに、他方の端部14aを挟み込んで固定するバックル式の結合器206を取り付ければ、椅子への装着時に長尺体14の実質上の長さを任意の長さに調節可能となる。すなわち、椅子の寸法に関わらず着座補助器具10を椅子により適合した状態で装着できるようになる。
【００２０】
なお、長尺体14の端部14a、14bに結合器20を取り付けなかった場合には、利用者自身が椅子に着座するに先立って端部14a、14b同士を堅く結んで椅子の背もたれに装着してもよい。
【００２１】
図６に示すように、長尺体の端部14a、14bの少なくとも一方に、着座補助器具10を椅子の背もたれに装着するときに背もたれと接触する長尺体部分の長さを調節可能な長さの調節器、一例としては移動カン208aおよび角カン208bで構成される長さ調節器を設けても、椅子の寸法に関わらず着座補助器具10を椅子により適合した状態で装着できるようになる。なお、図５に示すバックル式結合器206は、長尺体14の長さを調節可能であるという点で長さ調節器としての機能も有することとなる。
【００２２】
あるいは、上述の長さ調節器を取り付ける代わりに、長尺体14の材料に伸縮性の高いものを用いることにより、椅子の寸法に関わらず着座補助器具10を椅子により適合した状態で装着できるようにしてもよい。
【００２３】
図７および図８には、本発明の実施例に係る着座補助器具10を椅子30に装着した状態が描かれている。着座補助器具10の長尺体14の各端部14a、14bがローラ部12の外側に露出している構成を採っている場合は、ローラ部12が椅子30の背もたれ前部側の任意の高さに配置されるように、背もたれ後部側で長尺体端部14a、14bの先端に設けられている結合器20を係合する。
【００２４】
結合器20を用いれば、着座補助器具10の椅子30への装着は極めて簡単に成し遂げられ、また、仮に所望の位置にローラ部12が配置されなかった場合でも、着座補助器具10の椅子30への再装着作業を容易に行うことができる。
【００２５】
なお、図７および図８において、椅子30に取り付けられている着座補助器具10の個数は１個であるが、利用者の体型や腰部の症状に合わせて、複数個の着座補助器具10を並べて１脚の椅子に装着しても構わない。
【００２６】
ここまで、本考案の好ましい実施例について述べてきたが、本考案は、図面を参照して説明した上述の実施例に限定されるものではなく、多種多様な実施例が考えられる。本考案は、添付の実用新案登録請求の範囲およびその要旨を逸脱することなく、様々な変更や置換が可能であり、あるいは上述の実施例と同等に構成され得ることは当業者にとって明らかである。
【符号の説明】
【００２７】
10  着座補助器具
12  ローラ部
14  長尺体
18  筒状体
20、202、204、206  結合器
208  調節器
【図１】
0003223462.tif 000003
【図２】
0003223462.tif 000004
【図３】
0003223462.tif 000005
【図４】
0003223462.tif 000006
【図５】
0003223462.tif 000007
【図６】
0003223462.tif 000008
【図７】
0003223462.tif 000009
【図８】
0003223462.tif 000010